(57)【要約】本発明は、波吸収透過一体化装置及びレドームを提供する。波吸収透過一体化装置は、第１基板と第１基板の対向面に位置する金属パッチユニットとを備える波透過構造体と、波透過構造体に設けられて、互いに直交する第１波吸収ユニット及び第２波吸収ユニットを備える波吸収構造体とを備え、第１波吸収ユニット又は第２波吸収ユニットのそれぞれは、第２基板と、第２基板の表面にそれぞれ位置する複数の金属セグメント及び複数の阻止帯域とを備え、複数の金属セグメントと複数の阻止帯域とが交互するように吸収リングとして接続されるとともに、金属パッチユニットが、第１波吸収ユニットの吸収リング及び第２波吸収ユニットの吸収リングとそれぞれ直交するように構成されている。該装置は広帯域範囲内のＬ帯域で高波透過率、Ｋｕ帯域で高吸収率を達成することにより、無線装置の動作環境を効果的に改善する。【選択図】図５
2021532650.tif 000002
【特許請求の範囲】
【請求項１】
第１基板と、前記第１基板の対向面に位置する金属パッチユニットとを備える波透過構造体と、
前記波透過構造体に設けられて、互いに直交する第１波吸収ユニット及び第２波吸収ユニットを備える波吸収構造体と、を備え、
前記第１波吸収ユニット又は前記第２波吸収ユニットのそれぞれは、
第２基板と、
前記第２基板の表面にそれぞれ位置する複数の金属セグメント及び複数の阻止帯域と、を備え、
前記複数の金属セグメントと前記複数の阻止帯域とが交互するように吸収リングとして接続されるとともに、前記金属パッチユニットが、前記第１波吸収ユニットの吸収リング及び前記第２波吸収ユニットの吸収リングとそれぞれ直交するように構成されている、波吸収透過一体化装置。
【請求項２】
前記複数の阻止帯域は同じである第１阻止帯域及び第２阻止帯域を備え、
前記複数の金属セグメントは第１金属セグメント及び第２金属セグメントを備え、
前記第１金属セグメント、前記第２金属セグメント、前記第１阻止帯域及び前記第２阻止帯域が共に吸収リングとして接続され、前記第１阻止帯域が前記第１金属セグメントの第１端と前記第２金属セグメントの第１端との間に位置するとともに、前記第２阻止帯域が前記第１金属セグメントの第２端と前記第２金属セグメントの第２端との間に位置する、請求項１に記載の波吸収透過一体化装置。
【請求項３】
前記第１金属セグメント及び前記第２金属セグメントは、半円形リングと、前記半円形リングの両端に延在する平行金属セグメントと、を備える、請求項２に記載の波吸収透過一体化装置。
【請求項４】
前記金属パッチユニットは、金属中実パッチ又は金属環状パッチを備える、請求項１に記載の波吸収透過一体化装置。
【請求項５】
前記金属環状パッチの中心線長さが、前記金属パッチユニットの共振周波数に対応する波長の整数倍である、請求項４に記載の波吸収透過一体化装置。
【請求項６】
前記金属環状パッチはさらに、同心の内側リング及び外側リングを備え、
前記内側リングが前記第１基板の第１表面に位置し、
前記外側リングが前記第１基板の第２表面に位置し、前記第１表面が前記第２表面と対向して前記金属環状パッチの中心線長さが、前記内側リングの長さと前記外側リングの長さとの平均値である、請求項５に記載の波吸収透過一体化装置。
【請求項７】
前記波透過構造はさらに、
前記第１基板の第１表面に位置して前記内側リングを覆う第１誘電体層と、
前記第１基板の第２表面に位置して前記外側リングを覆う第２誘電体層と、を備える、請求項６に記載の波吸収透過一体化装置。
【請求項８】
前記内側リング及び前記外側リングが、正方形リング、長方形リング、円形リング又は六角形リングである、請求項６に記載の波吸収透過一体化装置。
【請求項９】
前記阻止帯域は、インダクタ及び／又はコンデンサを備える、請求項１に記載の波吸収透過一体化装置。
【請求項１０】
請求項１〜９のいずれか１項に記載の波吸収透過一体化装置を備える、レドーム。
【発明の詳細な説明】
【技術分野】
【０００１】
本発明は、一般的に通信技術分野に関し、より具体的には、波吸収透過一体化装置及びレドームに関する。
【背景技術】
【０００２】
現代の電磁技術の継続的な発展に伴い、電磁スペクトルの分割はますます細かくなり、境界はますます不明確になっている。それと同時に、電磁技術の発展は、人間の生存を脅かす電磁気汚染も催している。現在、異なる周波数帯域間の電磁的両立及び電磁汚染の抑制を確保して、波吸収が重要な手段である。しかしながら、波吸収にも問題が存在しており、波吸収構造には波透過能力がないことが多く、本来正常に動作すべき無線装置の動作をある程度妨害する可能性がある。
【０００３】
現在よく見られる波吸収透過一体化構造は、様々な形態を有し、集中抵抗に搭載される金属ストリップに金属狭帯域を使用して容量、インダクタンス素子を製造し、このＬＣ回路は特定の周波数でエネルギーをＬＣ回路に局在化させることにより、抵抗を遮断し、波透過の効果を達成する。この構造は、波吸収透過機能の一体化を図ることができるが、金属狭帯域を用いて製造される容量性インダクタンスは、そのサイズが極めて小さいため、加工に対する要求が高い。また、入射角が変化すると、容量性インダクタンスが変化し、これが回路共振を変化させ、波吸収透過性能に影響を与える。
【発明の概要】
【発明が解決しようとする課題】
【０００４】
本発明は、従来技術に存在する欠陥などに対して、上記問題を解決することができる、広帯域範囲内にＬ帯域高透過波、Ｋｕ帯域高吸収の波吸収透過一体化構造及び該構造を備えるレドームを提供する。
【課題を解決するための手段】
【０００５】
本発明の一態様によれば、第１基板と前記第１基板の対向面に位置する金属パッチユニットとを備える波透過構造体と、前記波透過構造体に設けられて、互いに直交する第１波吸収ユニット及び第２波吸収ユニットを備える波吸収構造体と、を備え、前記第１波吸収ユニット又は前記第２波吸収ユニットのそれぞれは、第２基板と、前記第２基板の表面にそれぞれ位置する複数の金属セグメント及び複数の阻止帯域とを備え、前記複数の金属セグメントと前記複数の阻止帯域とが交互するように吸収リングとして接続されるとともに、前記金属パッチユニットが、前記第１波吸収ユニットの吸収リング及び前記第２波吸収ユニットの吸収リングとそれぞれ直交するように構成されている波吸収透過一体化装置を提供する。
【０００６】
好ましくは、前記複数の阻止帯域は同じである第１阻止帯域及び第２阻止帯域を備え、前記複数の金属セグメントは第１金属セグメント及び第２金属セグメントを備え、前記第１金属セグメント、前記第２金属セグメント、前記第１阻止帯域及び前記第２阻止帯域が共に吸収リングとして接続され、前記第１阻止帯域が前記第１金属セグメントの第１端と前記第２金属セグメントの第１端との間に位置するとともに、前記第２阻止帯域が前記第１金属セグメントの第２端と前記第２金属セグメントの第２端との間に位置する。
【０００７】
好ましくは、前記第１金属セグメント及び前記第２金属セグメントは、半円形リングと、前記半円形リングの両端に延在する平行金属セグメントとを備える。
【０００８】
好ましくは、前記金属パッチユニットは、金属中実パッチ又は金属環状パッチを備える。
【０００９】
好ましくは、前記金属環状パッチの中心線長さが、前記金属パッチユニットの共振周波数に対応する波長の整数倍である。
【００１０】
好ましくは、前記金属環状パッチはさらに、同心の内側リング及び外側リングを備え、前記内側リングが前記第１基板の第１表面に位置し、前記外側リングが前記第１基板の第２表面に位置し、前記第１表面が前記第２表面と対向して前記金属環状パッチの中心線長さが、前記内側リングの長さと前記外側リングの長さとの平均値である。
【００１１】
好ましくは、前記波透過構造はさらに、前記第１基板の第１表面に位置して前記内側リングを覆う第１誘電体層と、前記第１基板の第２表面に位置して前記外側リングを覆う第２誘電体層とを備える。
【００１２】
好ましくは、前記内側リング及び前記外側リングが正方形リング、長方形リング、円形リング又は六角形リングである。
【００１３】
好ましくは、前記阻止帯域はさらにインダクタ及び／又はコンデンサを備える。
【００１４】
本発明の別の態様によれば、上述したいずれか一項に記載の波吸収透過一体化装置を備えるレドームを提供する。
【発明の効果】
【００１５】
本発明は、３次元メタマテリアル及び簡単な２次元周波数選択表面のカスケードを用い、構造が簡単である。本発明の実施例に係る波吸収透過一体化装置は、広帯域範囲内でＬ帯域では高波透過率、Ｋｕ帯域では高吸収率を実現することができる。該波吸収透過一体化装置は、通信アンテナ、レーダなどの機器の保護カバーとして用いることができ、アンテナの正常動作を保証する前提で広い周波数で広い帯域吸収を図ることができ、良好なアンテナ動作環境を達成することができる。
【図面の簡単な説明】
【００１６】
以下、本発明の実施例又は従来技術における技術的解決手段をより明確に説明するために、実施例又は従来技術の説明に使用する必要がある添付図面を簡単に説明し、以下の説明における図面は、本発明の幾つかの実施例に過ぎず、当業者にとっては創造的努力なしにこれらの図面から他の図面を導き出すこともできることは明らかである。
【図１】図１は本発明の実施例に係る波吸収構造体の吸収リングの一実例の構造概略図である。
【図２】図２は本発明の実施例に係る波透過構造体の内側リング及び外側リングの一実例の構造概略図である。
【図３】図３Ａ及び図３Ｂは本発明の実施例に係る波吸収構造体の一実例の正面図及び側面図である。
【図４】図４は本発明の実施例に係る波透過構造体の一実例の側面図である。
【図５】図５は本発明の実施例に係る波吸収透過一体化装置の斜視図である。
【図６】図６は本発明の実施例に係る波吸収透過一体化装置の平行偏波透過曲線図である。
【図７】図７は本発明の実施例に係る波吸収透過一体化装置の平行偏波反射曲線図である。
【図８】図８は本発明の実施例に係る波吸収透過一体化装置の平行偏波吸収曲線図である。
【図９】図９は本発明の実施例に係る波吸収透過一体化装置の垂直偏波透過曲線図である。
【図１０】図１０は本発明の実施例に係る波吸収透過一体化装置の垂直偏波反射曲線図である。
【図１１】図１１は本発明の実施例に係る波吸収透過一体化装置の垂直偏波吸収曲線図である。
【発明を実施するための形態】
【００１７】
本発明の実施例の目的、技術的解決手段及び利点をより明確にするために、以下、本発明の実施例における添付図面を参照しながら、本発明の実施例における技術的解決手段を明確かつ完全に説明する。説明される実施例は本発明の実施例のすべてではなく、その一部に過ぎないことは明らかである。本発明の実施例に基づき、当業者が創造的な労働を行うことなく得られるすべての他の実施例は、いずれも本発明の保護範囲に属する。
【００１８】
本発明は、波吸収構造体及び波透過構造体をそれぞれ設計することにより、カスケードするように波吸収透過一体化装置を実現する。現在、波吸収帯域内で、入射波を波透過構造体に共振反射させて入射波と重畳させるとともに、重畳後の電界強度が強い位置に抵抗を設けて電磁波を吸収する方法が採られている。
【００１９】
したがって、波透過構造体は、低周波Ｌ帯域では高波透過、Ｋｕ帯域では高遮断特性を実現する必要がある。一方、波吸収構造体は、Ｋｕ帯域で入射波と反射波とが重畳して電界強度が強い部位に抵抗を設けて、Ｌ帯域で高い波透過を有する必要がある。Ｌ帯域とは、周波数が１〜２ＧＨｚの電波帯域であり、Ｋｕ帯域は、１２.７５〜１８.１ＧＨｚの周波数帯域である。
【００２０】
図１は本発明の実施例に係る波吸収構造体の吸収リングの一実例の構造概略図である。図２は本発明の実施例に係る波透過構造体の内側リング及び外側リングの一実例の構造概略図である。図３Ａ及び図３Ｂは本発明の実施例に係る波吸収構造体の一実例の正面図及び側面図である。図４は本発明の実施例に係る波透過構造体の一実例の側面図である。図５は本発明の実施例に係る波吸収透過一体化装置の斜視図である。以下、図１〜図５を参照して波吸収透過一体化装置を詳細に説明する。
【００２１】
図５に示すように、本発明の実施例に係る波吸収透過一体化装置５００は、第１基板と第１基板の対向面に位置する金属パッチユニットとを備える波透過構造体５０８と、波透過構造体５０８に設けられて、互いに直交する第１波吸収ユニット５１２及び第２波吸収ユニット５１４を備える波吸収構造体５１０とを備え、第１波吸収ユニット５１２又は第２波吸収ユニット５１４のそれぞれは、第２基板と、第２基板の表面に位置する複数の金属セグメントと、第２基板の表面において、入射波の波透過構造体に生じる反射波と入射波との重畳が強くなる位置にある複数の阻止帯域とを備え、具体的には、複数の阻止帯域が第１波吸収ユニット５１２と第２波吸収ユニット５１４との互いに直交する直交線上又は直交線の近傍に設けられてもよく、複数の金属セグメントと複数の阻止帯域とが交互するように吸収リングとして接続されるとともに、金属パッチユニットが、第１波吸収ユニットの吸収リング及び第２波吸収ユニットの吸収リングとそれぞれ直交するように構成され、具体的には、交互方式が金属セグメント―阻止帯域―金属セグメント―阻止帯域である。
【００２２】
本発明の実施例によれば、波透過構造体がＬ帯域で高波透過率を有するとともに、波吸収構造体がＫｕ帯域で高吸収率を有するため、カスケード接続される波透過構造体及び波吸収構造体の波吸収透過一体化装置がＬ帯域で高波透過及びＫｕ帯域で高吸収を実現することができ、無線装置の動作環境を効果的に改善することができる。
【００２３】
以下、図１、図３及び図５に示すように、波吸収構造体を詳細に説明する。
【００２４】
図５に示すように、波吸収構造体５１０が、波透過構造体５０８に設けられるとともに、互いに直交する第１波吸収ユニット５１２及び第２波吸収ユニット５１４を備え、第１波吸収ユニット５１２及び第２波吸収ユニット５１４が同じ波吸収ユニット３００である。
【００２５】
該波吸収ユニット３００は、第２基板３０２と、第２基板３０２の表面に位置する複数の金属セグメントと、第２基板３０２の表面において、入射波の波透過構造体５０２に生じる反射波と入射波との重畳が強くなる位置にある複数の阻止帯域とを備え、具体的には、複数の阻止帯域が第１波吸収ユニット５１２と第２波吸収ユニット５１４との互いに直交する直交線上又は直交線の近傍に設けられてもよく、複数の金属セグメントと複数の阻止帯域とが交互する（例えば、金属セグメント―阻止帯域―金属セグメント―阻止帯域）ように吸収リング３０４として接続されて該波吸収ユニット３００の環状回路とするとともに、金属パッチユニットが、第１波吸収ユニットの吸収リング及び第２波吸収ユニットの吸収リングとそれぞれ直交するように構成される。
【００２６】
一実施例において、図１及び図３に示すように、複数の阻止帯域は同じである第１阻止帯域Ｒ１及び第２阻止帯域Ｒ２を備え、複数の金属セグメントは第１金属セグメント１１６及び第２金属セグメント１１８を備え、第１金属セグメント１１６、第２金属セグメント１１８、第１阻止帯域Ｒ１及び第２阻止帯域Ｒ２が吸収リング１００として接続され、第１阻止帯域Ｒ１が第１金属セグメント１１６の第１端と第２金属セグメント１１８の第１端（第１金属セグメントの第１端と同一側に属する）との間に位置するとともに、第２阻止帯域Ｒ２が第１金属セグメント１１６の第２端と第２金属セグメント１１８の第２端（第１金属セグメントの第２端と同一側に属する）との間に位置する。
【００２７】
第１金属セグメント１１６及び第２金属セグメント１１８はいずれも半円形リングと、半円形リングの両端に延在する平行金属セグメントとを備え、第１金属セグメント１１６及び第２金属セグメント１１８を合わせて運動場のレーストラック形状に形成し、即ち２つの平行な線の同一側の端部はそれぞれ、半円形に接続される。
【００２８】
図１に示す実施例において、第１金属セグメント１１６は半円形リング１０２と、半円形リングの両端に延在する平行金属セグメント１０６及び１１０とを備え、第２金属セグメント１１８は半円形リング１０４と、半円形リングの両端に延在する平行金属セグメント１０８及び１１２とを備える。
【００２９】
他の実施例において、吸収リングはさらに正方形リング、長方形リング、六角形リングなどの多角形リングであってもよく、それに応じて、より多くの金属セグメント及び阻止帯域を備え、例えば、４つの金属セグメント及び阻止帯域又は６つの金属セグメント及び阻止帯域などを備える。
【００３０】
阻止帯域は、反射波と入射波との重畳に生じるつめ合う干渉電磁波を吸収するための抵抗を備える。該実施例において、図１に示すように、抵抗が吸収リングにおける対称位置、例えば多角形の平行な対向辺上に位置することで、非対称抵抗と比べて、該対称抵抗における反射波と入射波との重畳がより強い電磁波を生成するように配置されている。吸収リングは、吸収した電磁波のエネルギーを抵抗の内部エネルギーに変換する。選択可能な実施例において、阻止帯域はさらにインダクタ及びコンデンサを備えることができる。
【００３１】
以下、図２、図４及び図５に示すように、波透過構造体を詳細に説明する。波透過構造体５０８は、第１基板と、第１基板の対向面に位置する金属パッチユニットとを備える。金属パッチユニットは、金属中実パッチ又は金属環状パッチを備える。
【００３２】
金属環状パッチの中心線長さが、金属パッチユニットの共振周波数に対応する波長の整数倍である。具体的には、図２に示すように、金属環状パッチ２００はさらに、同心の内側リング２０４及び外側リング２０２を備え、内側リング２０４が第１基板の第１表面に位置し、外側リング２０２が第１基板の第２表面に位置し、第１表面が第２表面と対向して金属環状パッチ２００の中心線長さが、内側リング２０４の長さと外側リング２０２の長さとの平均値である。
【００３３】
図５に示すように、波透過構造５０８はさらに、第１基板５０２の第１表面に位置して内側リング２０４を覆う第１誘電体層５０４と、第１基板５０２の第２表面に位置して外側リング２０２を覆う第２誘電体層５０６と、を備える。実施例において、内側リング２０４及び外側リング２０２は、正方形リング、長方形リング、円形リング又は六角形リング又は他の多角形リングなどである。該実施例において、内側リング２０４及び外側リング２０２を同心に設けることにより、電磁波の干渉を低減することができる。他の実施例において、六角形リングはさらに電磁波をより均一にすることができる。
【００３４】
本発明の具体的な実施例において、波透過構造体は、Ｌ帯域高波透過でＫｕ帯域高遮断特性を必要とするので、周波数選択性表面（ＦＳＳ）を用いて実現することが考えられる。しかし、単一の金属パッチ又は金属環状構造ではＫｕ帯域全体のような広帯域の遮断を実現することは困難であるため、共振周波数点の異なる帯域阻止微細構造を複数層重畳して実現することが考えられる。
【００３５】
同時に、簡単な金属環状パッチユニットの中心線長さ、即ちその内側リングと外側リングとの長さの平均値と、ユニットの共振周波数点に対応する波長とは整数倍の関係であり、その１次共振対応波長を中心線長さに近づけることができ、共振周波数点を良好に制御することができる。したがって、本発明の技術的解決手段は金属環状パッチユニットを用いて波透過構造体を実現する。
【００３６】
波吸収構造体の具体例において、波吸収構造体には低周波高波透過でＫｕ帯域高吸収の特性が要求される。本発明の技術的解決手段が採用する波吸収方式は吸収する必要がある周波数点で電磁波を反射した後に入射波と反射波との重畳が強くなる位置で吸収することにより、さらに立体３次元の波吸収構造を用い、波透過構造体の２つの阻止帯域に対応する入射波と反射波との電界の重畳が強くなる位置で抵抗を設計し、金属半ループを用いて金属構造を延長する方式で入射方向に２組の抵抗を連通して回路を形成し、エネルギーを抵抗の内部エネルギーに変換して吸収の目的を達成して、Ｋｕ帯域全体の波吸収の需要を満たすことができる。
【００３７】
以下、図１〜図４に示すように、金属半リングの内径Φ１を２ｍｍ〜４ｍｍとし、例えば、Φ１＝２.６ｍｍであり、金属リングの幅Ｄ１を０.１ｍｍ〜１ｍｍとし、例えば、Ｄ１＝０.６ｍｍである例を用いて説明する。同一平面内の両金属半リングの距離Ｌ１を１ｍｍ〜４ｍｍとし、例えば、Ｌ１＝２ｍｍである。金属ループの破断点延長Ｌ２を０.１ｍｍ〜１.５ｍｍとし、例えば、Ｌ２＝０.９ｍｍである。
【００３８】
抵抗Ｒ１を５０Ω〜１０００Ωとし、例えば、Ｒ１＝５００Ωである。抵抗Ｒ２を５０Ω〜１０００Ωとし、例えば、Ｒ２＝１５０Ωである。小金属方形リング（即ち、内側リング）の一辺の長さＬ３を３ｍｍ〜５ｍｍとし、例えば、Ｌ３＝４.１ｍｍであり、大金属方形リング（即ち、外側リング）の一辺の長さＬ４を５ｍｍ〜８ｍｍとし、例えば、Ｌ４＝５.６６ｍｍであり、金属幅Ｄ２を０.１ｍｍ〜１ｍｍとし、例えば、Ｄ２＝０.２ｍｍである。金属部分の厚さが２０μｍであり、銅、銀、金などの金属を用いることができる。
【００３９】
吸収部の誘電体バックシートの長さＬ５を８ｍｍ〜１０ｍｍとし、例えば、Ｌ５＝８ｍｍであり、幅Ｄ３を３ｍｍ〜８ｍｍとし、例えば、Ｄ３＝４ｍｍであり、厚さＨ１を０.５ｍｍ〜２ｍｍとし、例えば、Ｈ１＝０.８ｍｍであり、反射部の積層構造の両側の高誘電体スキン材の厚さＨ２を０.２ｍｍ〜１ｍｍとし、例えば、Ｈ２＝０.５ｍｍであり、低誘電体芯材の厚さＨ３を１ｍｍ〜８ｍｍとし、例えば、Ｈ３＝６ｍｍであり、透過部の２つの金属方形リングはＰ１、Ｐ２の位置にそれぞれ配置され、波透過構造体のスキン及び波吸収構造体の基板は共に誘電率ε＝３.１であり、損失正接が０.６％である。
【００４０】
組み合わせた構造は図５に示すとおりである。シミュレーション結果は図６〜図１１に示すように、シミュレーション結果の平均値（例えば、０°、１０°、２０°、３０°、４０°、５０°及び６０°）を統計することは表１に示すとおりであり、シミュレーション結果からＬ帯域波高透過、Ｋｕ帯域高吸収の目的を達成したことが分かる。
【００４１】
【表１】
2021532650.tif 000003
【００４２】
明確にするために、図６〜図１１はそれぞれ、平行偏波透過曲線、平行偏波反射曲線、平行偏波吸収曲線、垂直偏波透過曲線、垂直偏波反射曲線及び垂直偏波吸収曲線を示している。図面におけるＳ２１は透過率であり、Ｓ２１における「１」は入射ポート、「２」は出射ポートである。Ｓ１１は反射率であり、Ｓ１１における「１」は入射ポートである。
【００４３】
図６及び図９から明らかなように、該波吸収透過一体化装置は、Ｌ帯域（１〜２ＧＨｚ）では高い透過率を有して、Ｋｕ帯域（１２.７５〜１８.１ＧＨｚ）では高い遮断特性を有し、例えば、１２.２ＧＨｚでは明らかに局所的に最低点を有する。図８及び図１１において、該波吸収透過一体化装置は、Ｌ帯域では吸収率が非常に小さく、Ｋｕ帯域では吸収率が高い。図７及び図１０において、波反射率に著しい変化はない。
【００４４】
本発明は、通信アンテナ、レーダなどの機器の保護カバーとして用いることができ、アンテナの正常動作を保証する前提で広い周波数で広い帯域吸収を図ることができ、良好なアンテナ動作環境を達成することができる。
【００４５】
本発明の実施例によれば、上述した波吸収透過一体化装置を備えるレドームをさらに提供し、波吸収透過一体化装置は、第１基板と第１基板の対向面に位置する金属パッチユニットとを備える波透過構造体と、波透過構造体の上方に位置して、互いに直交する第１波吸収ユニット及び第２波吸収ユニットを備える波吸収構造体とを備え、第１波吸収ユニット及び第２波吸収ユニットは、第２基板と、第２基板の表面に位置する複数の金属セグメントと、第２基板の表面において、入射波の波透過構造体に生じる反射波と入射波との重畳が強くなる位置にある複数の阻止帯域とを備え、複数の金属セグメントと複数の阻止帯域とが交互するように吸収リングとして接続されるとともに、金属パッチユニットが、第１波吸収ユニットの吸収リング及び第２波吸収ユニットの吸収リングと直交するように構成される。
【００４６】
本発明は、３次元メタマテリアル及び簡単な２次元周波数選択表面のカスケードを用い、構造が簡単である。本発明の実施例に係る波吸収透過一体化装置は、広帯域範囲内でＬ帯域では高波透過率、Ｋｕ帯域では高吸収率を実現することができる。該波吸収透過一体化装置は、通信アンテナ、レーダなどの機器の保護カバーとして用いることができ、アンテナの正常動作を保証する前提で広い周波数で広い帯域吸収を図ることができ、良好なアンテナ動作環境を達成することができる。
【００４７】
最後に、以上の各実施例は、本発明の技術的解決手段を説明するために過ぎず、限定するためのものではない。上記の各実施例を参照して本発明について詳細に説明したが、当業者にとっては、対応する技術的解決手段の旨が本発明の各実施例の技術的解決手段の範囲から逸脱しない限り、依然として上記の各実施例に記載した技術的解決手段を修正するか、又はその一部や全部の技術的特徴を同等に置き換えることができると理解すべきである。
【図１】
2021532650.tif 000004
【図２】
2021532650.tif 000005
【図３】
2021532650.tif 000006
【図４】
2021532650.tif 000007
【図５】
2021532650.tif 000008
【図６】
2021532650.tif 000009
【図７】
2021532650.tif 000010
【図８】
2021532650.tif 000011
【図９】
2021532650.tif 000012
【図１０】
2021532650.tif 000013
【図１１】
2021532650.tif 000014
【国際調査報告】
2021532650.tif 000015
2021532650.tif 000016
2021532650.tif 000017
2021532650.tif 000018